(57)【要約】【課題】両面印刷時において、一方面の画像形成後のユーザーによる記録媒体の取り出しを防止可能な画像形成装置を提供する。【解決手段】第１可動壁５６及び第２可動壁６０が水平位置Ｐ２に移動することにより、反転路Ｗ４を構成する非直線部ガイド５４の一部が開放され、画像形成位置Ｐから反転路Ｗ４に向かって延びる水平方向の距離は延長される。両面印刷時において、一方面の画像形成が終了した記録シートＳは、排出口１２Ａから水平支持部材６６の外側端部までの間に収納され、乾燥待機される。【選択図】図２
2010076878.tif 000002
【特許請求の範囲】
【請求項１】
両面印刷時、記録媒体の一方面への画像形成終了後で他方面への画像形成開始前に、少なくとも前記記録媒体の一部が筐体外に配置される画像形成装置であって、
前記記録媒体へ液滴を吐出して前記記録媒体へ画像を形成する記録ヘッドと、
前記筐体内に設けられ、前記記録媒体を前記記録ヘッドでの画像形成位置へ搬送する主搬送路、前記記録媒体を前記画像形成位置から排出口を経て前記筐体外へ搬送する排出搬送路、及び、一方面への画像形成後に、前記記録媒体の表裏を反転させて前記記録媒体を前記画像形成位置へ搬送する反転搬送路、を有する搬送路と、
前記搬送路における非直線部に構成され、一方面への画像形成終了後に前記筐体内に収納された記録媒体の画像形成側の表面が前記搬送路の壁面に非接触となる非接触位置へ前記搬送路の壁の一部が移動可能とされた可動壁と、
を備えた、画像形成装置。
【請求項２】
前記可動壁は、一方面への画像形成終了後の記録媒体の前記排出口から遠い側の端辺が、前記搬送路の外側に突出するように移動可能とされていること、を特徴とする請求項１に記載の画像形成装置。
【請求項３】
前記搬送路は、前記画像形成位置を含んで水平方向に延びる水平搬送部を有し、前記可動壁は、前記水平搬送路から連続される水平距離を延長するように移動可能とされていること、を特徴とする請求項１または請求項２に記載の画像形成装置。
【請求項４】
前記非直線部において前記搬送路の外側に突出する前記記録媒体の下側を支持する水平支持部材、を備えたことを特徴とする請求項３に記載の画像形成装置。
【請求項５】
前記筐体の外面から突出して設けられ、両面印刷時、記録媒体の一方面への画像形成終了後で他方面への画像形成開始前に、乾燥待機中である旨を表示する乾燥中表示部、をさらに備えた請求項１〜４のいずれか１項に記載の画像形成装置。
【請求項６】
両面印刷時、記録媒体の一方面への画像形成終了後に、他方面への画像形成開始までの待機時間を表示する待機時間表示部、をさらに備えた請求項１〜５のいずれか１項に記載の画像形成装置。
【請求項７】
両面印刷時、記録媒体の一方面への画像形成終了後で他方面への画像形成開始前に、少なくとも前記記録媒体の一部が筐体外に配置される画像形成装置であって、
前記記録媒体へ液滴を吐出して前記記録媒体へ画像を形成する記録ヘッドと、
前記筐体内に設けられ、前記記録媒体を前記記録ヘッドでの画像形成位置へ搬送する主搬送路、前記記録媒体を前記画像形成位置から排出口を経て前記筐体外へ搬送する排出搬送路、及び、一方面への画像形成後に、前記記録媒体の表裏を反転させて前記記録媒体を前記画像形成位置へ搬送する反転搬送路、を有する搬送路と、
前記記録媒体の一方面への画像形成終了後、前記記録媒体を前記筐体内に収納して乾燥させる収納乾燥手段、
を備えた、画像形成装置。
【発明の詳細な説明】
【技術分野】
【０００１】
本発明は、画像形成装置に関するものであり、特に、両面印刷の可能な画像形成装置に関するものである。
【背景技術】
【０００２】
両面印刷の可能な、特に、小型の画像形成装置においては、一方面の印刷後に、記録媒体が装置の筐体外にはみ出た状態となり、その後、他方面の印刷が行われる場合がある。このように、片面の印刷後に記録媒体が筐体外へ出ると、ユーザーが、もう片方の面の印刷前に、記録媒体を取り出してしまうことがある。
【０００３】
このような、ユーザーによる取り出しを防止するために、一方面の印刷完了後、他方面の印刷までの待機時間を短縮することが考えられる。例えば、特許文献１では、一方面の印刷完了後、他方面の面の印刷までの待機時間を短縮すべく、間欠印刷時において休止時間を設けている。
【０００４】
しかしながら、特許文献１に記載の技術は、単に待機時間を短縮するだけなので、待機時間中に、ユーザーによって記録媒体が取り出される可能性は高い。
【０００５】
また、小型の画像形成装置においては、記録媒体を搬送する搬送路の水平距離が短いという事実がある。
【特許文献１】特開２００４−３１４５０６号公報
【発明の開示】
【発明が解決しようとする課題】
【０００６】
本発明は上記事実を考慮してなされたものであり、両面印刷時において、一方面の画像形成後のユーザーによる記録媒体の取り出しを防止可能な画像形成装置を提供することを課題とする。
【課題を解決するための手段】
【０００７】
上記課題を解決するために、請求項１に係る画像形成装置は、両面印刷時、記録媒体の一方面への画像形成終了後で他方面への画像形成開始前に、少なくとも前記記録媒体の一部が筐体外に配置される画像形成装置であって、前記記録媒体へ液滴を吐出して前記記録媒体へ画像を形成する記録ヘッドと、前記筐体内に設けられ、前記記録媒体を前記記録ヘッドでの画像形成位置へ搬送する主搬送路、前記記録媒体を前記画像形成位置から排出口を経て前記筐体外へ搬送する排出搬送路、及び、一方面への画像形成後に、前記記録媒体の表裏を反転させて前記記録媒体を前記画像形成位置へ搬送する反転搬送路、を有する搬送路と、前記搬送路における非直線部に構成され、一方面への画像形成終了後に前記筐体内に収納された記録媒体の画像形成側の表面が前記搬送路の壁面に非接触となる非接触位置へ前記搬送路の壁の一部が移動可能とされた可動壁と、を備えている。
【０００８】
請求項１に記載の発明の画像形成装置には、搬送路における非直線部に可動壁が構成されている。この可動壁は、非接触位置へ移動可能とされている。非接触位置は、一方面への画像形成終了後に筐体内に収納された記録媒体の画像形成側の表面が搬送路の壁面に非接触となるような位置である。
【０００９】
本発明によれば、両面印刷時、記録媒体の一方面への画像形成終了後に、少なくとも記録媒体の一部が筐体外に配置されるが、可動壁を非接触位置へ移動させて記録媒体を筐体内に収納することにより、ユーザーによる取り出しを防止することができる。
【００１０】
また、可動壁を非接触位置へ移動させることにより、一方面への画像形成終了後に筐体内に収納された記録媒体の画像形成側の表面が搬送路の壁面に接触しないように維持することができ、形成された画像が汚れてしまうことを防止することができる。
【００１１】
なお、本発明の可動壁は、請求項２に記載のように、一方面への画像形成終了後の記録媒体の前記排出口から遠い側の端辺が、前記搬送路の外側に突出するように移動可能な構成とすることができる。
【００１２】
このように、記録媒体の端辺を搬送路の外側に突出させることにより、非直線部において記録媒体の画像形成された側の表面が搬送路の壁に接触することを防止することができる。
【００１３】
また、請求項３に記載のように、本発明の搬送路が、前記画像形成位置を含んで水平方向に延びる水平搬送部を有し、前記可動壁が、前記水平搬送路から連続される水平距離を延長するように移動可能とされている構成にすることができる。
【００１４】
このように、水平距離を延長することにより、画像形成後の記録媒体を水平状態で筐体内に収納することができる。
【００１５】
さらに、請求項４に記載のように、前記非直線部において前記搬送路の外側に突出する前記記録媒体の下側を支持する水平支持部材、を備えることもできる。
【００１６】
このように、水平支持部材を備えることにより、記録媒体を安定して支持することができる。
【００１７】
本発明の請求項５に係る画像形成装置は、前記筐体の外面から突出して設けられ、両面印刷時、記録媒体の一方面への画像形成終了後で他方面への画像形成開始前に、乾燥待機中である旨を表示する乾燥中表示部、をさらに備えている。
【００１８】
上記の乾燥中表示部を備えることにより、乾燥待機中である旨を表示して、ユーザーにその旨を知らせることができる。
【００１９】
本発明の請求項６に係る画像形成装置は、両面印刷時、記録媒体の一方面への画像形成終了後に、他方面への画像形成開始までの待機時間を表示する待機時間表示部、をさらに備えている。
【００２０】
上記の待機時間表示部を備えることにより、ユーザーに待機時間を知らせることができる。
【００２１】
本発明の請求項７に係る画像形成装置は、両面印刷時、記録媒体の一方面への画像形成終了後で他方面への画像形成開始前に、少なくとも前記記録媒体の一部が筐体外に配置される画像形成装置であって、前記記録媒体へ液滴を吐出して前記記録媒体へ画像を形成する記録ヘッドと、前記筐体内に設けられ、前記記録媒体を前記記録ヘッドでの画像形成位置へ搬送する主搬送路、前記記録媒体を前記画像形成位置から排出口を経て前記筐体外へ搬送する排出搬送路、及び、一方面への画像形成後に、前記記録媒体の表裏を反転させて前記記録媒体を前記画像形成位置へ搬送する反転搬送路、を有する搬送路と、前記記録媒体の一方面への画像形成終了後、前記記録媒体を前記筐体内に収納して乾燥させる収納乾燥手段、を備えたものである。
【００２２】
請求項７に記載の画像形成装置によれば、一方面への画像形成終了後、記録媒体は収納乾燥手段により、筐体内に収納されて乾燥されるので、記録媒体乾燥中のユーザーによる取り出しを防止することができる。
【発明の効果】
【００２３】
本発明は上記構成としたので、両面印刷時において、一方面の画像形成後のユーザーによる記録媒体の取り出しを防止することができる。
【発明を実施するための最良の形態】
【００２４】
以下、図面を参照して本発明の実施形態の一例を詳細に説明する。図１には、本発明に係る記録方法を適用可能なインクジェットプリンタ１０が示されている。なお、このインクジェットプリンタ１０は本発明に係る画像形成装置に対応している。
【００２５】
インクジェットプリンタ１０は、筐体１２を備えている。筐体１２は箱状とされている。インクジェットプリンタ１０には、図１における右上部側に、給紙トレイ１４が設けられている。給紙トレイ１４は、給紙トレイ１４上に、各種サイズの記録シートをセット可能とされている。給紙トレイ１４は、筐体１２の外側に配置されている。
【００２６】
また、インクジェットプリンタ１０の筐体１２内の下側（底部側）には、給紙カセット１６がセットされている。給紙カセット１６は、給紙カセット１６内に所定サイズの記録シートＳをセット可能とされている。
【００２７】
インクジェットプリンタ１０の図１における左方側には、排出トレイ２０が設けられている。排出トレイ２０は、筐体１２に構成された排出口１２Ａから外側に向かって延出されており、筐体１２の外側に設けられている。排出トレイ２０上には、画像（例えば文字画像や写真画像）が記録され、排出口１２Ａから排出された記録シートＳが載置される。
【００２８】
インクジェットプリンタ１０は、記録ヘッド３０を備えている。記録ヘッド３０は、筐体１２内に配置されている。記録ヘッド３０には、インク吐出ノズル（不図示）が構成されている。また、記録ヘッド３０は、不図示の機構により、図１の手前−奥の方向（走査方向）に往復移動可能とされている。記録ヘッド３０での画像形成は、記録ヘッド３０を走査しつつ、インク吐出ノズルから記録シートＳへインクを吐出することにより行われる。
【００２９】
筐体１２内には、記録シートＳを搬送するための、複数の搬送路が構成されている。搬送路としては、給紙トレイ１４から記録シートＳを送出する第１送出路Ｗ１、第１送出路Ｗ１の下流側から記録ヘッド３０により画像形成が行われる画像形成位置Ｐまでのメイン搬送路Ｗ２、給紙カセット１６からメイン搬送路Ｗ２の上流側へ記録シートＳを送出する第２送出路Ｗ３、メイン搬送路Ｗ２の中間部と第２送出路Ｗ３の中間部とを繋ぐとともに第２送出路Ｗ３と合流してメイン搬送路Ｗ２の上流側に記録シートＳを搬送する反転路Ｗ４、画像形成位置Ｐから排出口１２Ａまでの排出路Ｗ５が形成されている。
【００３０】
第１送出路Ｗ１の上流側には、ローラ駆動部４９（図３参照）により回転駆動されるピックアップローラ４０が配置されている。ピックアップローラ４０は、給紙トレイ１４にセットされた記録シートＳの先端側上面に当接可能とされている。ピックアップローラ４０の回転により、給紙トレイ１４にセットされた最上部の記録シートＳが第１送出路Ｗ１へ向かって送り出される。
【００３１】
メイン搬送路Ｗ２には、ローラ駆動部４９により回転駆動される搬送ローラ対４１、４２が配設されている。搬送ローラ対４２は、記録ヘッド３０に近い位置に配設され、搬送ローラ対４１は、搬送ローラ対４２よりも上流側で、反転路Ｗ４との分岐部分よりも記録ヘッド３０側に配設されている。
【００３２】
第２送出路Ｗ３の上流側には、ローラ駆動部４９により回転駆動されるピックアップローラ４４が配置されている。ピックアップローラ４４は、給紙カセット１６にセットされた記録シートＳの先端側上面に当接可能とされている。ピックアップローラ４４の回転により、給紙カセット１６にセットされた最上部の記録シートＳが第２送出路Ｗ３へ向かって送り出される。
【００３３】
反転路Ｗ４には、ローラ駆動部４９により回転される搬送ローラ対４５が配設されている。搬送ローラ対４５は、反転路Ｗ４の中間部に配設されている。反転路Ｗ４の第２送出路Ｗ３との合流部分よりもメイン搬送路Ｗ２側には、搬送ローラ対４３が配設されている。
【００３４】
排出路Ｗ５には、ローラ駆動部４９により回転される排出ローラ対４６が配設されている。排出ローラ対４６は、記録ヘッド３０に近い位置に配設されている。排出路Ｗ５の下側は、排出トレイ２０の一部で構成されており、排出トレイ２０は、排出口１２Ａと排出ローラ対４６との間は、水平方向に配置されている。
【００３５】
搬送ローラ対４２と排出ローラ対４６との間には、画像形成位置Ｐが構成されている。画像形成位置Ｐは、記録ヘッド３０と記録ヘッド３０に離間対向して設けられたプラテン５０との間に構成されている。画像形成位置Ｐで、記録シートＳはプラテン５０上に配置されて画像が形成される。
【００３６】
搬送ローラ対４１と搬送ローラ対４２の間のメイン搬送路Ｗ２の下側壁は、ガイド部材５１で構成されている。搬送ローラ対４１と搬送ローラ対４５の間の反転路Ｗ４の下側壁は、ガイド部材５２で構成されている。ガイド部材５１及びガイド部材５２は、水平方向に配置されており、この部分を搬送される記録シートＳは、水平状態が保たれている。
【００３７】
反転路Ｗ４は、水平方向から上側へ向かって緩やかにループを描くように屈曲してメイン搬送路Ｗ２に合流しており、非直線となっている。搬送ローラ対４５と搬送ローラ対４３との間のループの外側を構成する壁面は、非直線部ガイド５４で構成されている。
【００３８】
非直線部ガイド５４は、図２にも示すように、下固定部５５、第１可動壁５６、及び、鉛直固定部５８を含んで構成されている。下固定部５５は、搬送ローラ対４５側に水平方向に配置されている。鉛直固定部５８は、搬送ローラ対４３側に鉛直方向に配置されている。
【００３９】
第１可動壁５６は、下固定部５５と鉛直固定部５８との間に配置されている。第１可動壁５６は、ループ部５６Ａ及び軸受部５６Ｂを備えている。ループ部５６Ａは、反転路Ｗ４に沿って配置されて反転路Ｗ４の一部を構成している。軸受部５６Ｂは、ループ部５６Ａと一体的に構成されループ部５６Ａの一端側の外側に形成され、第１軸５７を受けている。第１軸５７は、搬送ローラ対４５と平行な方向に配置されている。第１可動壁５６は、第１軸５７を中心に回転可能とされている。
【００４０】
第２送出路Ｗ３は、ピックアップローラ４４から搬送ローラ対４３までの間で、水平方向から緩やかに孤を描いて上方向に曲げられ、反転路Ｗ４と合流されている。第２送出路Ｗ３の水平部分の下壁は、ガイド板６８で構成されている。
【００４１】
第２送出路Ｗ３の曲げの外側を構成する壁は、第２可動壁６０で構成されている。第２可動壁６０は、ガイド部６２、軸受部６４、及び、水平支持部６６で構成されている。ガイド部６２は、第２送出路Ｗ３に沿って配置されて第２送出路Ｗ３の一部を構成している。軸受部６４は、ガイド部６２と一体的に構成されガイド部６２の一端側の外側に形成され、第２軸６５を受けている。第２軸６５は、搬送ローラ対４３と平行な方向に配置されている。水平支持部６６は、第２可動壁６０の搬送ローラ対４３側端部に形成されている。水平支持部６６は、ガイド部６２から外側に突出され、第２可動壁６０が後述する水平位置Ｐ２に配置されたときに、上面が水平方向に配置されるように構成されている。第２可動壁６０は、第２軸６５を中心に回転可能とされている。
【００４２】
第１可動壁５６及び第２可動壁６０には、壁駆動部材７０が取り付けられている。壁駆動部材７０は、第１アーム７１、第２アーム７２、第３アーム７３、及び、クラッチ７４を含んで構成されている。クラッチ７４は、駆動力の伝達を制御可能な電動クラッチとされている。クラッチ７４は、搬送ローラ対４５の回転軸４５Ａに取り付けられている。
【００４３】
第１アーム７１の一端はクラッチ７４に取り付けられ、他端は第２アーム７２の一端に相対回転可能に取り付けられている。第２アーム７２の他端は、ピン７２Ａにより第３アーム７３の一端及びループ部５６Ａに取り付けられている。第２アーム７２、第３アーム７３、及び、ループ部５６Ａは、ピン７２Ａを中心に相対回転可能とされている。第３アーム７３の他端には長穴７３Ｂが構成されている。長穴７３Ｂにはピン７３Ａが挿通され、第３アーム７３の他端は、長穴７３Ｂを介して、ピン７３Ａによりガイド部６２Ａに互いに相対回転可能に取り付けられている。
【００４４】
記録シートＳが、反転路Ｗ４を搬送ローラ対４１から搬送ローラ対４５へ向かう方向（反転方向Ｙへ搬送されている時（反転搬送時）に、搬送ローラ対４５はＸ方向に回転する。これにより、第１アーム７１が同方向に回転し、第２アーム７２及び第３アーム７３に押されて、第１可動壁５６及び第２可動壁６０が、各々第１軸５７、第２軸６５回りに回転し、図２（Ａ）に示す搬送位置Ｐ１から、図２（Ｂ）に示す水平位置Ｐ２に配置される。水平位置Ｐ２において、第１可動壁５６のループ部５６Ａの上面は、下固定部５５の上面と同じ高さ又は僅かに低い高さとなるように設定されており、不図示の規制部材により第１可動壁５６のこれ以上の回転が規制されている。また、水平位置Ｐ２において、第２可動壁６０の水平支持部６６の上面も、下固定部５５の上面と同じ高さ又は僅かに低い高さとなるように設定されており、不図示の規制部材により第２可動壁６０のこれ以上の回転が規制されている。
【００４５】
上記のように、第１可動壁５６及び第２可動壁６０が水平位置Ｐ２に移動することにより、反転路Ｗ４を構成する非直線部ガイド５４の一部が開放され、画像形成位置Ｐから反転路Ｗ４に向かって延びる水平方向の距離は延長される。延長後の距離は、排出口１２Ａから水平支持部６６の外側端部までの長さが、本実施形態のインクジェットプリンタ１０で印刷可能な記録シートＳの最大サイズの長さ以上となるように設定されている。
【００４６】
両面印刷時において、一方面の画像形成が終了した記録シートＳは、排出口１２Ａから水平支持部材６６の外側端部までの間に収納され、乾燥待機される。
【００４７】
筐体１２の、図１における左側上部には、コントロールパネル３２が設けられている。コントロールパネル３２には、画像形成に関する各種の情報が表示される。
【００４８】
筐体１２の上面には、両面印刷中ランプ３４が設けられている。インクジェットプリンタ１０で両面印刷を実行し、記録シートＳの一方面の画像形成が終了した後、他方面の画像形成の開始前まで、この両面印刷中ランプ３４が点灯する。
【００４９】
図３には、インクジェットプリンタ１０の制御系の概略ブロック図が示されている。インクジェットプリンタ１０は、装置全体の制御を行うための制御部５３を有している。制御部５３には、外部装置などから、画像形成のための画像データが入力される。制御部５３は、ＣＰＵ、ＲＯＭ、ＲＡＭなどにより構成されている。制御部５３は、コントロールパネル３２、記録ヘッド駆動部３１、両面印刷中ランプ３４、ローラ駆動部４９、及び、クラッチ７４と接続されている。
【００５０】
記録ヘッド駆動部３１は、記録ヘッド３０と接続されており、記録ヘッド３０の駆動及び記録ヘッド３０からのインク吐出に係る制御を行っている。ローラ駆動部４９は、ピックアップローラ４０、４４、搬送ローラ対４１〜４３、４５、及び、排出ローラ対４６と接続されている。ローラ駆動部４９によって、各ローラの回転が制御されている。
【００５１】
次に、上記構成のインクジェットプリンタ１０での両面印刷動作について説明する。
【００５２】
インクジェットプリンタ１０の制御部５３に、不図示の外部装置から両面印刷用の画像データが入力されると、図４に示す両面印刷処理が実行される。
【００５３】
ステップＳ１０で、ローラ駆動部４９からの駆動信号に基づいて、給紙トレイ１４または給紙カセット１６から、画像形成位置Ｐへ向かって記録シートＳが搬送される。そして、記録シートＳが画像形成位置Ｐに配置される。給紙トレイ１４から給紙が行われた場合には、記録シートＳは、第１送出路Ｗ１、メイン搬送路Ｗ２を経て画像形成位置Ｐへ至る。給紙カセット１６から給紙が行われた場合には、記録シートＳは、第２送出路Ｗ３、メイン搬送路Ｗ２を経て画像形成位置Ｐへ至る。
【００５４】
ステップＳ１２で、記録シートＳの一方面への画像形成が開始される。記録シートＳへの画像形成は、記録シートＳを排出口１２Ａから外側へ向かって搬送しつつ、記録ヘッド３０を走査させながら画像データに基づいてインクを吐出させて行われる。
【００５５】
ステップＳ１４で、記録シートＳの一方面への画像形成が完了するまで待機する。ここで、記録シートＳへの画像形成は、記録シートＳの先端を排出口１２Ａから外側へ送り出しつつ行われる。そして、記録シートＳの一方面への画像形成が完了したとき、記録シートＳは、図５（Ａ）示されるように、排出口１２Ａから外側へはみ出した状態で排出トレイ２０上に載置される。
【００５６】
ステップＳ１４で、記録シートＳの一方面への画像形成が完了したと判断された場合には、ステップＳ１５で、記録シートＳを逆方向（Ｙ方向）へ搬送し、排出口１２Ａから端部がはみ出ない位置（収納位置Ｄ２、図５（Ｂ）参照）に配置する。このとき、搬送ローラ対４５はＸ方向に回転し、壁駆動部材７０により第１可動壁５６及び第２可動壁６０が、搬送位置Ｐ１から水平位置Ｐ２に移動する。収納位置Ｄ２で記録シートＳの乾燥が行われる。記録シートＳのＹ方向先端部は、水平支持部材６６上に載置され、水平方向に配置される。
【００５７】
そして、ステップＳ１６で、両面印刷中ランプ３４を点灯させ、ステップＳ１８で、記録シートＳの他方面への画像形成開始までの予想時間をコントロールパネル３２に表示する。ここでの「記録シートＳの他方面への画像形成開始までの予想時間」は、記録シートＳの乾燥に要する時間（乾燥時間）に対応するものであり、記録シートＳに吐出されたインク量、密度などにより決定される。
【００５８】
ステップＳ２０で乾燥時間が経過するまで待機し、乾燥時間が経過したら、ステップＳ２２で両面印刷中ランプ３４を消灯し、ステップＳ２４で「記録シートＳの他方面への画像形成開始までの予想時間」の表示を消去する。
【００５９】
ステップＳ２５で、搬送ローラ対４５をＸ方向と逆方向に回転させて、記録シートＳのＹ方向先端部分が反転路Ｗ４に戻る位置（戻し位置Ｄ３、図６（Ａ）参照）まで記録シートＳを戻す。これにより、壁駆動部材７０が元の位置に戻り、第１可動壁５６及び第２可動壁６０が水平位置Ｐ２から搬送位置Ｐ１へ戻る。
【００６０】
そして、ステップＳ２６で、表裏反転搬送が行われる。表裏反転搬送では、クラッチ７４はオフにされ、搬送ローラ対４５のＸ方向の回転によって壁駆動部材７０に駆動力が伝達されないようにする。表裏反転搬送により、記録シートＳは、図６（Ａ）に示される戻し位置Ｄ３から排出路Ｗ５、メイン搬送路Ｗ２を経て、反転路Ｗ４へ搬送され（図６（Ｂ）参照）、第２送出路Ｗ３と合流してループを描き、メイン搬送路Ｗ２へ戻り、メイン搬送路Ｗ２を経て画像形成位置Ｐへ至る。
【００６１】
ステップＳ２８で、記録シートＳの他方面への画像形成が行われる。他方面への画像形成も、一方面への画像形成と同様に、記録シートＳを排出口１２Ａから外側へ向かって搬送しつつ、記録ヘッド３０を走査させながら画像データに基づいてインクを吐出させて行われる。
【００６２】
その後、ステップＳ３０で、記録シートＳが、排出トレイ２０へ排出され、本処理が終了する。
【００６３】
本実施形態によれば、両面印刷時において、一方面への画像形成完了後に、記録シートＳは筐体１２の外側にはみ出して配置されるが、すぐに筐体１２内の収納位置Ｄ２に搬送され、この位置で乾燥時間の待機が行われるので、ユーザーによる乾燥待機中の記録シートＳの取り去りを防止することができる。
【００６４】
また、本実施形態では、記録シートＳを水平方向に配置した状態で乾燥させるので、記録シートＳの乾燥待機中に画像形成完了面が搬送路のガイド等と接触することを防止することができる。
【００６５】
また、乾燥待機中に、両面印刷中ランプ３４を点灯させているので、ユーザーへ両面印刷時の乾燥待機中であることを、認識させることができる。
【００６６】
また、コントロールパネル３２には、「記録シートＳの他方面への画像形成開始までの予想時間」が表示されるので、ユーザーは、待機時間を認識することができる。
【００６７】
なお、本実施形態では、両面印刷中ランプ３４を有する構成について説明したが、両面印刷中ランプ３４は本発明に必須ではなく、両面印刷中ランプ３４なしの構成とすることもできる。
【００６８】
また、コントロールパネル３２への「記録シートＳの他方面への画像形成開始までの予想時間」の表示についても、本発明に必須ではなく、このような表示は行わなくてもよい。
【００６９】
なお、本実施形態では、記録シートＳの先端が排出口１２Ａからはみ出ない構成としたが、筐体１２自体のサイズが小さく、充分な水平距離を確保できない場合には、図７に示すように、排出口１２Ａの上側に、カバー１３を設けてもよい。カバー１３により、乾燥待機中の記録シートＳを覆って、ユーザーによる取り去りを防止することができる。
【００７０】
また、本実施形態では、反転路Ｗ４の非直線部ガイド５４の一部である第１可動壁５６、第２可動壁６０を退避させて、反転路Ｗ４の水平部分を延長したが、必ずしも、水平となる位置まで退避させる必要はなく、記録シートＳの画像形成完了面が、搬送路の内壁と接触しない程度に外側に退避させてもよい。
【００７１】
また、図８に示すように、乾燥待機中の記録シートＳに向かって送風するための、送風機８０を筐体１２内に設けてもよい。送風機８０は、ファン８２と、ファン８２からの風を誘導する送風路８４を有している。風が送り出される送風路８４の出口８４Ａは、画像形成位置Ｐから上流側のメイン搬送路Ｗ２に送風されるように配置されている。送風機８０を設けることにより、乾燥時間を短縮することができる。
【００７２】
なお、送風機８０を用いて乾燥を行う場合には、記録ヘッド３０のノズル面の乾燥を避けるために、ノズル面をメンテナンス用のキャップ８６で覆う。
【００７３】
また、本実施形態では、反転路Ｗ４の非直線部ガイド５４の一部である第１可動壁５６、第２可動壁６０を可動としたが、図９に示すように、壁駆動部材７０を備えず、第１可動壁５６、第２可動壁６０に代えて、固定されたガイド部材７９を配置し、記録シートＳの先端（排出口１２Ａ側）を排出口１２Ａから筐体１２内に収納して、収納位置Ｄ４で乾燥させてもよい。
【００７４】
また、本実施形態では、画像形成装置としてインクを用いたインクジェットプリンタを例に説明したが、本発明は、インクジェットプリンタに限定されず、液体トナーやその他の液体を用いて画像を形成する画像形成装置に適用することもできる。
【図面の簡単な説明】
【００７５】
【図１】本実施態様の画像形成装置の概略全体構成図である。
【図２】本実施態様の画像形成装置の、第１可動壁及び第２可動壁付近の拡大図である。
【図３】本実施態様の画像形成装置の制御系の概略構成図である。
【図４】本実施態様の両面印刷処理のフローチャートである。
【図５】本実施態様の両面印刷処理における、記録シートの搬送経路を説明する図である。
【図６】本実施態様の両面印刷処理における、記録シートの搬送経路を説明する図である
【図７】本実施形態の変形例に係る画像形成装置の概略全体構成図である。
【図８】本実施形態の他の変形例に係る画像形成装置の概略全体構成図である。
【図９】本実施形態の他の変形例に係る画像形成装置の概略全体構成図である。
【符号の説明】
【００７６】
１０   インクジェットプリンタ
１２Ａ 排出口
１２   筐体
１４   給紙トレイ
１６   給紙カセット
３０   記録ヘッド
３２   コントロールパネル
３４   両面印刷中ランプ
５３   制御部
５４   非直線部ガイド
５６   第１可動壁
６０   第２可動壁
６６   水平支持部
７０   壁駆動部材
８０   送風機
Ｐ     画像形成位置
Ｐ１   搬送位置
Ｐ２   水平位置
Ｓ     記録シート
Ｗ２  メイン搬送路
Ｗ４  反転路
Ｗ５  排出路
【図１】
2010076878.tif 000003
【図２】
2010076878.tif 000004
【図３】
2010076878.tif 000005
【図４】
2010076878.tif 000006
【図５】
2010076878.tif 000007
【図６】
2010076878.tif 000008
【図７】
2010076878.tif 000009
【図８】
2010076878.tif 000010
【図９】
2010076878.tif 000011